(57)【要約】【課題】乗り物の窓にフィルムを貼付した際の乗り物内からの外部の見え方を容易かつ的確に把握ことができるフィルム確認器具を提供すること。【解決手段】色濃度の異なる複数のフィルムカード１２と、フィルムカード１２で遮断可能な開口２４を有する第１の面２６、及び第１の面２６に対向し、覗き部２８を有する第２の面３０を具備する遮光性ボックス状器具本体１４と、を備えるフィルム確認器具１０である。【選択図】図１
2020118861.tif 000002
【特許請求の範囲】
【請求項１】
乗り物の窓にフィルムを貼付した際の乗り物内からの外部の見え方を把握し、乗り物の窓に貼付するフィルムを決定するためのフィルム確認器具であって、
色濃度の異なる複数のフィルムカードと、
前記フィルムカードで遮断可能な開口を有する第１の面、及び該第１の面に対向し、覗き部を有する第２の面を具備する遮光性ボックス状器具本体と、
を備えることを特徴とするフィルム確認器具。
【請求項２】
覗き部が、使用者の少なくとも目を含む顔面により遮断可能な開口であることを特徴とする請求項１記載のフィルム確認器具。
【請求項３】
覗き部が、第２の面の全面に形成された開口であることを特徴とする請求項１又は２記載のフィルム確認器具。
【請求項４】
覗き部が、第２の面の一部に形成された開口であることを特徴とする請求項１又は２記載のフィルム確認器具。
【請求項５】
フィルムカードが、フィルムの周りに遮光性枠体を備えた枠体付フィルムカードであることを特徴とする請求項１〜４のいずれか記載のフィルム確認器具。
【請求項６】
遮光性ボックス状器具本体が、第１の面側の内周に内枠を有していることを特徴とする請求項１〜５のいずれか記載のフィルム確認器具。
【請求項７】
内枠が、第１の面側に設けられた折り曲げ可能な複数のフラップを内側に折り曲げて形成されることを特徴とする請求項６記載のフィルム確認器具。
【請求項８】
遮光性ボックス状器具本体が、フィルムカードを差し込んで固定する差込凹部を有していることを特徴とする請求項１〜７のいずれか記載のフィルム確認器具。
【請求項９】
差込凹部が第１の面の近傍に設けられていることを特徴とする請求項８記載のフィルム確認器具。
【請求項１０】
遮光性ボックス状器具本体が段ボールからなることを特徴とする請求項１〜９のいずれか記載のフィルム確認器具。
【請求項１１】
請求項１〜１０のいずれか記載のフィルム確認器具と、
複数のフィルムカードを陳列するための陳列パネルと、
を備えることを特徴とするフィルム確認セット。
【請求項１２】
フィルムカード及び／又は陳列パネルが、着脱可能な固定部材を具備していることを特徴とする請求項１１記載のフィルム確認セット。
【請求項１３】
固定部材が磁石であることを特徴とする請求項１２記載のフィルム確認セット。
【発明の詳細な説明】
【技術分野】
【０００１】
本発明は、自動車等の乗り物の窓にフィルムを貼付した際の乗り物内からの外部の見え方を容易に把握し、乗り物の窓に貼付するフィルムを決定するためのフィルム確認器具に関する。
【背景技術】
【０００２】
従来より、自動車等の乗り物の窓に、装飾、目隠し、断熱、紫外線カット、ガラス破損時の飛散防止等の目的で、様々な濃淡のフィルムを貼付することが行われている。
【０００３】
自動車に用いるカーフィルム等を取り扱う販売店においては、フィルムをロール状にパッケージした商品が、濃淡の異なるフィルムごとに並べて陳列されている。そして、購入者は、店舗に設置された複数のフィルムサンプルが配列された販促用パンフレット等を参考にフィルムを決定している。
【０００４】
フィルムの決定においては、フィルムを通した見え方が１つの重要な要素になるが、このようなフィルムを通した見え方を確認するための器具が提案されている。例えば、自動車のウインドウガラスに貼付されるウインドウフィルムの店頭陳列品を対象とするウインドウフィルム販促媒体であって、自己保形性を有する板状のシート体に開口が形成されてなるフィルム保持体と、店頭陳列品としての上記ウインドウフィルムと同一の光学特性を備えて、上記フィルム保持体の上記開口の全体に亘って配備されたサンプルフィルムと、そのサンプルフィルムに対応する上記店頭陳列品を示す情報表示と、上記フィルム保持体を、自動車のウインドウガラスに離脱可能に重なり状に装着するための固定具とを有する器具が提案されている（特許文献１参照）。
【先行技術文献】
【特許文献】
【０００５】
【特許文献１】実登３１９７８４４号公報
【発明の概要】
【発明が解決しようとする課題】
【０００６】
上記販促用パンフレットでフィルムを通した見え方を確認する場合、その確認を明るい店舗内で行うため、比較的暗い乗り物内からの実際の見え方と異なり、実際に乗り物の窓に貼付した際にイメージと異なるといった問題が生じていた。また、上記特許文献１のフィルムを通した見え方を確認するための器具においては、器具を店舗から持ち出して、購入者の自動車のウインドウガラスに重ねて確認する必要があり、煩雑な作業となっていた。
【０００７】
本発明の課題は、乗り物の窓にフィルムを貼付した際の乗り物内からの外部の見え方を容易かつ的確に把握ことができるフィルム確認器具を提供することにある。
【課題を解決するための手段】
【０００８】
本発明者らは、乗り物の窓にフィルムを貼付した際の乗り物内からの外部の見え方を容易かつ的確に把握する手段を検討する中で、遮光性を有するボックスの第１の面側に色濃度の異なるフィルムを装着する共に、第１の面と対向する第２の面側から覗いてフィルムを通した外部の見え方を確認することにより、擬似的な乗り物内からの見え方を体感でき、乗り物内からの見え方を容易かつ的確に把握することができることを見いだし、本発明を完成するに至った。
【０００９】
すなわち、本発明は、以下の通りのものである。
［１］  乗り物の窓にフィルムを貼付した際の乗り物内からの外部の見え方を把握し、乗り物の窓に貼付するフィルムを決定するためのフィルム確認器具であって、
色濃度の異なる複数のフィルムカードと、
前記フィルムカードで遮断可能な開口を有する第１の面、及び該第１の面に対向し、覗き部を有する第２の面を具備する遮光性ボックス状器具本体と、
を備えることを特徴とするフィルム確認器具。
［２］  覗き部が、使用者の少なくとも目を含む顔面により遮断可能な開口であることを特徴とする上記［１］記載のフィルム確認器具。
［３］  覗き部が、第２の面の全面に形成された開口であることを特徴とする上記［１］又は［２］記載のフィルム確認器具。
［４］  覗き部が、第２の面の一部に形成された開口であることを特徴とする上記［１］又は［２］記載のフィルム確認器具。
［５］  フィルムカードが、フィルムの周りに遮光性枠体を備えた枠体付フィルムカードであることを特徴とする上記［１］〜［４］のいずれか記載のフィルム確認器具。
【００１０】
［６］  遮光性ボックス状器具本体が、第１の面側の内周に内枠を有していることを特徴とする上記［１］〜［５］のいずれか記載のフィルム確認器具。
［７］  内枠が、第１の面側に設けられた折り曲げ可能な複数のフラップを内側に折り曲げて形成されることを特徴とする上記［６］記載のフィルム確認器具。
［８］  遮光性ボックス状器具本体が、フィルムカードを差し込んで固定する差込凹部を有していることを特徴とする上記［１］〜［７］のいずれか記載のフィルム確認器具。
［９］  差込凹部が第１の面の近傍に設けられていることを特徴とする上記［８］記載のフィルム確認器具。
［１０］  遮光性ボックス状器具本体が段ボールからなることを特徴とする上記［１］〜［９］のいずれか記載のフィルム確認器具。
【００１１】
［１１］  上記［１］〜［１０］のいずれか記載のフィルム確認器具と、
複数のフィルムカードを陳列するための陳列パネルと、
を備えることを特徴とするフィルム確認セット。
［１２］  フィルムカード及び／又は陳列パネルが、着脱可能な固定部材を具備していることを特徴とする上記［１１］記載のフィルム確認セット。
［１３］  固定部材が磁石であることを特徴とする上記［１２］記載のフィルム確認セット。
【発明の効果】
【００１２】
本発明のフィルム確認器具は、乗り物の窓にフィルムを貼付した際の乗り物内からの外部の見え方を容易かつ的確に把握することができる。
【図面の簡単な説明】
【００１３】
【図１】本発明の一実施形態に係るフィルム確認器具を説明する斜視図であり、（Ａ）は、枠体付フィルムカードを遮光性ボックス状器具本体に装着する前の状態を示し、（Ｂ）は、枠体付フィルムカードを遮光性ボックス状器具本体に装着した状態を示す。
【図２】本発明の一実施形態に係る遮光性ボックス状器具本体の後方斜視図である。
【図３】本発明の一実施形態に係る遮光性ボックス状器具本体の組み立て前の状態を示す説明図である。
【図４】本発明の一実施形態に係るフィルム確認器具の使用状態の説明図である。
【図５】本発明の一実施形態に係る陳列パネルの説明図である。
【発明を実施するための形態】
【００１４】
本発明のフィルム確認器具は、乗り物の窓にフィルムを貼付した際の乗り物内からの外部の見え方を把握し、貼付するフィルムを決定するためのフィルム確認器具であって、色濃度の異なる複数のフィルムカードと、フィルムカードで遮断可能な開口を有する第１の面、及び第１の面に対向し、覗き部を有する第２の面を具備する遮光性ボックス状器具本体とを備えている。なお、色濃度とは、フィルムの色、材質、厚さ等の違いによって生じるフィルムの色味や濃淡をいう。
【００１５】
本発明のフィルム確認器具を用いることにより、擬似的な乗り物内からの見え方を体感できる。したがって、店舗内などの明るい場所においても、比較的暗い乗り物内からのフィルムを通した外部の見え方を容易かつ的確に把握することができる。また、本発明のフィルム確認器具は、構成が単純であるため、使用時の複雑な調整が不要であり、使用者が容易に使用することができる。
【００１６】
ここで、本明細書においては、使用者が遮光性ボックス状器具本体を覗いた際に頭部側に位置する面を上面といい、上面と対向する足元側の面を底面といい、上面及び底面に対して垂直な面を側面という。側面のうち、フィルムカードで遮断する開口を有する面を第１の面（前方面）といい、第１の面と対向する面を第２の面（後方面）という（図１及び図２参照）。また、フィルムカードの各寸法を幅ａ、高さｂで表し、遮光性ボックス状器具本体の各寸法を幅Ａ、高さＢ、長さＣで表す。
【００１７】
（フィルムカード）
本発明のフィルム確認器具におけるフィルムカードは、遮光性ボックス状器具本体（以下、単に器具本体ということがある）に装着して使用するものであり、器具本体に装着した際、器具本体第１の面の開口を遮断する。フィルムカードの形状としては、例えば、正方形、長方形、円形等の各種形状を挙げることができるが、長方形であることが好ましい。フィルムカードの大きさ（後述する枠体を備えている場合は枠体を含む）としては、用途によって適宜設定することができ、例えば、幅（ａ）１０〜３０ｃｍ、高さ（ｂ）５〜２０ｃｍであることが好ましく、幅（ａ）１０〜２０ｃｍ、高さ（ｂ）５〜１５ｃｍであることがより好ましい。
【００１８】
本発明のフィルムカードとしては、その全体がフィルムからなるフィルムカードであってもよいが、フィルムの周りに遮光性枠体を備えた枠体付フィルムカードであることが好ましい。これにより、フィルムカードの形態保持性や耐久性が向上すると共に、器具本体に装着した際、器具本体内への不要な光の侵入を防止することができる。枠体の材料としては、例えば、プラスチック、紙材等を挙げることができ、安価で耐久性を有する点から、紙材が好ましく、段ボールが特に好ましい。また、枠体には、製品名、製品型番号、透過率や紫外線カット率などの光学特性、色合い等のフィルム情報を記載することができ、これにより、使用者や販売員がフィルム情報を容易に確認することができる。
【００１９】
本発明の各フィルムカードにおけるフィルムは、色濃度の異なるフィルムであり、乗り物の窓に貼付することができるものであれば特に制限されるものではなく、通常、目隠し、断熱、紫外線カット、ガラス破損時の飛散防止等の機能性を有するフィルムである。フィルムの材料は、例えば光透過性を有する合成樹脂であり、具体的に、ＰＥＴフィルムを挙げることができる。また、本発明のフィルムは、フィルム単体であってもよいが、１又は２以上の他の光透過性材料を層状に組み合わせたものであってもよい。光透過性材料としては、例えば、光透過性粘着剤、剥離フィルム、ガラス等を挙げることができる。
【００２０】
（遮光性ボックス状器具本体）
本発明のフィルム確認器具における遮光性ボックス状器具本体は、内部に暗い空間が形成され得る箱形状である。例えば、角筒状、円筒状が挙げられ、四角筒体が好ましい。その大きさは、用途によって適宜設定することができるが、使用者が手に取り、顔に当てて覗き部から確認可能な大きさであることが好ましい。器具本体が四角筒体の場合、例えば、幅（Ａ）１０〜３０ｃｍ、高さ（Ｂ）５〜２０ｃｍ、長さ（Ｃ）５〜３０ｃｍであることが好ましく、幅（Ａ）１０〜２０ｃｍ、高さ（Ｂ）５〜１５ｃｍ、長さ（Ｃ）１０〜２０ｃｍであることがより好ましい。
【００２１】
器具本体の材料は、外部からの光を遮断する遮光性材料であり、例えば、プラスチック、発泡材、紙材等を挙げることができ、安価で耐久性を有する点から、紙材が好ましく、段ボールが特に好ましい。
【００２２】
器具本体の第１の面は、フィルムカードで遮断可能な開口を有している。開口は、第１の面の全面に形成された開口であってもよく、第１の面の一部に形成された開口であってもよい。
【００２３】
この第１の面の開口を遮断する態様（フィルムカードの器具本体への装着場所）は特に制限されるものではなく、例えば、器具本体の第１の面の端部にフィルムカードを取り付ける態様や、器具本体の第１の面の近傍内側に設けられた差込凹部にフィルムカードを差し込んで固定する態様を挙げることができ、より容易かつ確実に開口を遮断できることから、後者の態様が好ましい。
【００２４】
また、器具本体は、第１の面側の内周に内枠を有していることが好ましい。これにより、器具本体を補強してその形状（箱形状）を強固かつ長期にわたって保持することができると共に、器具本体の第１の面の開口をフィルムカードで遮断する際に、器具本体とフィルムカードとの隙間から器具本体内に外部の光が侵入することをより確実に防止できる。
【００２５】
内枠としては、器具本体となる筒体の第１の面側に設けられた複数のフラップを折り曲げて形成されるものが好ましい。これにより、別途内枠部材を取り付けることなく、器具本体を構成する筒体の一部を変形させることより、内枠を形成することが可能となる。
具体的に、この内枠を有する遮光性ボックス状器具本体としては、第１の面側に折り曲げ可能な４枚のフラップと、第１の面近傍に設けられ、上壁及び両側壁の途中までの切れ込みからなるフィルムカード差込凹部とを備えた角筒体の４枚のフラップを内側に折り曲げて内枠を形成するものを挙げることができる。本発明の内枠を備えた器具本体は、段ボール等を筒体とし、かかる筒体のフラップを折り込むことといった極めて簡単な方法で作製することができる。
【００２６】
器具本体の第２の面は、第１の面に対向する面であり、覗き部を有している。覗き部は、使用者が器具本体内を覗くことができる開口であり、使用者の少なくとも目を含む顔面により遮断可能な開口であることが好ましい。これにより、使用者が遮光性ボックス状器具本体内を覗き込んだ際に、外部の光が器具本体内へ侵入することを防止することができ、器具本体の内部に暗い空間を形成し、擬似的な乗り物内からの見え方を実現することができる。覗き部の形状としては、第２の面の全面に形成された開口であってもよく、第２の面の一部に形成された開口であってもよいが、加工が容易である点から、第２の面の全面に形成された開口であることが好ましい。
【００２７】
開口が第２の面の一部に形成された開口である場合、例えば、比較的大きな１つの開口であってもよく、使用者が両目で覗き込める間隔に設けられた２つの開口であってもよい。
また、第２の面の全面に形成された開口である場合は、額や頬が当接しやすいように、器具本体の上面及び下面が弧状凹部に形成されていることが好ましい。さらに、下面には、鼻が当接する鼻当接凹部が形成されていることが好ましい。
【００２８】
続いて、上述した本発明のフィルム確認器具と共に用いることが可能な本発明の陳列パネルについて説明する。
本発明の陳列パネルは、例えば、販売場所において、フィルムカードを陳列するためのパネルである。これにより、使用者がフィルムカードを容易に選択することができる。この陳列パネルの陳列態様としては、例えば、壁や陳列棚等に取り付ける態様や、自立させる態様を挙げることができる。
【００２９】
本発明の陳列パネルは、フィルム確認器具と共に、フィルム確認セットとして用いることができる。すなわち、本発明のフィルム確認セットは、上述したフィルム確認器具と、複数のフィルムカードを陳列するための陳列パネルとを備えている。
【００３０】
本発明のフィルム確認セットは、フィルムカード及び／又は陳列パネルが、着脱可能な固定部材を具備していることが好ましい。これにより、使用者が、容易にフィルムカードを手にとることができると共に、使用後は、陳列パネルに容易に戻すことができる。固定部材としては、例えば、磁石、面ファスナー、粘着テープ等を挙げることができ、耐久性等の点から磁石が好ましい。なお、固定部材を具備する部材（例えば、フィルムカード）に対応する部材（例えば、陳列パネル）には、被固定部材が設けられている。例えば、固定部材の磁石に対応して、被固定部材として、磁石が磁着する金属が用いられる。
【００３１】
以下、図面を用いて本発明のフィルム確認器具の実施形態を具体的に説明するが、本発明はこれらの実施形態に制限されるものではない。
【００３２】
ここで、図１は、本発明の一実施形態に係るフィルム確認器具を説明する斜視図であり、（Ａ）は、枠体付フィルムカードを遮光性ボックス状器具本体に装着する前の状態を示し、（Ｂ）は、枠体付フィルムカードを遮光性ボックス状器具本体に装着した状態を示す。図２は、本発明の一実施形態に係る遮光性ボックス状器具本体の後方斜視図である。図３は、本発明の一実施形態に係る遮光性ボックス状器具本体の組み立て前の状態を示す説明図である。図４は、本発明の一実施形態に係るフィルム確認器具の使用状態の説明図である。図５は、本発明の一実施形態に係る陳列パネルの説明図である。
【００３３】
図１に示すように、本発明の一実施形態に係るフィルム確認器具１０は、枠体付フィルムカード１２と、遮光性ボックス状器具本体１４とを備えている。
【００３４】
図１に示すように、枠体付フィルムカード１２は、例えば、幅（ａ）１５ｃｍ程度、高さ（ｂ）１０ｃｍ程度の大きさであり、中央に長方形のフィルム１６を具備している。フィルム１６の周りの枠体１８は、幅２ｃｍ程度の枠であって段ボールからなる。この枠体１８は、上部が幅広となっており、その下方の幅狭部との段差２０が、遮光性ボックス状器具本体１４に装着する際に掛止部となる。また、枠体付フィルムカード１２は、枠体１８の上部に磁石２２を具備している。
【００３５】
また、遮光性ボックス状器具本体１４は、図１に示すように、例えば、幅（Ａ）１５ｃｍ程度、高さ（Ｂ）８ｃｍ程度、長さ（Ｃ）１５ｃｍ程度の大きさであって、全面に開口２４が形成された第１開口面２６と、全面に覗き部（開口）２８が形成された第２開口面３０とを有する四角筒体である。
【００３６】
遮光性ボックス状器具本体１４の第１開口面２６の近傍には、遮光性ボックス状器具本体１４の上壁及び両側壁の途中までの切れ込みを有する差込凹部３２が設けられており、枠体付フィルムカード１２の出し入れを可能とする。枠体付フィルムカード１２を上方から差込凹部３２に挿入することにより、枠体付フィルムカード１２の段差２０が、遮光性ボックス状器具本体１４の差込凹部３２の両端側壁に掛止されて、枠体付フィルムカード１２が固定される。
【００３７】
また、図１及び図２に示すように、遮光性ボックス状器具本体１４は、第１開口面２６近傍の内周壁に内枠３４が設けられている。具体的には、枠体付フィルムカード１２が装着される箇所に近接した箇所に内枠３４の端部が設けられている。この内枠３４は、次のようにして形成される。すなわち、図３に示すように、遮光性ボックス状器具本体１４の組み立て前の四角筒状段ボール３６は、第１の面側に４枚のフラップ３８ａ〜ｄを有している。このフラップ３８ａ〜ｄを内側に折り曲げることにより内枠３４を形成する。この内枠３４を設けることにより、遮光性ボックス状器具本体１４を補強して、その形状（箱形状）を強固かつ長期にわたって保持できると共に、枠体付フィルムカード１２を遮光性ボックス状器具本体１４の差込凹部３２に差し込んだ際、遮光性ボックス状器具本体１４内部へ不要な光が侵入することを防止できる。
【００３８】
一方、遮光性ボックス状器具本体１４の第２開口面３０側は、図２に示すように、上面及び下面にそれぞれ上側弧状凹部４０及び下側弧状凹部４２が形成されている。また、下面には、鼻が当接する鼻当接凹部４４が形成されている。これにより、使用者が覗き部（開口）２８から遮光性ボックス状器具本体１４を覗く際に、使用者の顔面が上側弧状凹部４０及び下側弧状凹部４２と隙間なく当接し、第２開口面３０側からの遮光性ボックス状器具本体１４内への光の侵入を防止することができる。
【００３９】
図１及び図４に示すように、フィルム確認器具１０を使用する際には、枠体付フィルムカード１２を遮光性ボックス状器具本体１４の差込凹部３２に差し込んだ後、覗き部２８から遮光性ボックス状器具本体１４内を覗く。これにより、遮光性ボックス状器具本体１４内の暗い空間を介して、フィルム１６を通した明るい外部を見ることができる。すなわち、擬似的に乗り物内からの外部の見え方を体感することができる。また、第１開口面２６側から遮光性ボックス状器具本体１４を覗くことにより、乗り物外からの乗り物内の見え方や、自動車外からのフィルムが貼付されたリアガラスを通したフロントガラス越しの外部の見え方を把握することができる。
【００４０】
次に、本発明の一実施形態に係る陳列パネル４６について説明する。
図５に示すように、陳列パネル４６は、長方形のパネルであり、濃淡の異なるフィルム１６を具備した複数の枠体付フィルムカード１２が陳列されている。また、陳列パネル４６は、磁石が磁着する金属板であることから、枠体付フィルムカード１２の磁石２２により、陳列パネル４６に着脱可能に固定される。したがって、枠体付フィルムカード１２の取り付け及び取り外しを容易に行うことができる。
【００４１】
続いて、上述したフィルム確認器具１０と陳列パネル４６とを備える本発明のフィルム確認セットの使用方法を説明する。
【００４２】
まず、使用者は、店舗内に設置された陳列パネル４６の中から、好みの枠体付フィルムカード１２を選択する。続いて、選択した枠体付フィルムカード１２を遮光性ボックス状器具本体１４の差込凹部３２に差し込む。続いて、遮光性ボックス状器具本体１４を手で持ち、第２開口面３０の覗き部（開口）２８から覗き込む。これにより、使用者は、擬似的に乗り物内からの外部の見え方を体感することができる。したがって、使用者は、上記作業を繰り返し確認することで、店舗内で、好みの枠体付フィルムカードを見つけることができる。
【００４３】
このように、本発明のフィルム確認セットを用いることにより、店舗内などの明るい場所においても、乗り物内からの外部の見え方を容易かつ的確に確認することができる。また、構成が単純であり、使用の際に複雑な調整が不要であることから、使用者が容易に使用することができる。
【産業上の利用可能性】
【００４４】
本発明は、乗り物の窓にフィルムを貼付した際の乗り物内からの外部の見え方を容易に把握することができる新たな器具を提供するものであることから、産業上有用である。
【符号の説明】
【００４５】
１０    フィルム確認器具
１２    枠体付フィルムカード
１４    遮光性ボックス状器具本体
１６    フィルム
１８    枠体
２０    段差
２２    磁石
２４    開口
２６    第１開口面
２８    覗き部（開口）
３０    第２開口面
３２    差込凹部
３４    内枠
３６    四角筒状段ボール
３８    フラップ
４０    上側弧状凹部
４２    下側弧状凹部
４４    鼻当接凹部
４６    陳列パネル
【図１】
2020118861.tif 000003
【図２】
2020118861.tif 000004
【図３】
2020118861.tif 000005
【図４】
2020118861.tif 000006
【図５】
2020118861.tif 000007